(57)【要約】【課題】通話機能の使用可能時間を長くできる携帯通信端末を提供する。【解決手段】バッテリ１１からの出力をもとにＶＤＤとＶＤＤ２を生成する電源回路部１３は、バッテリ１１の電力が所定の値より少なくなると、携帯電話機１の通話機能を実現する制御回路部１４、通信回路部１５、音声回路部１６および操作部１７にＶＤＤを供給する。このような構成にすることにより携帯電話機１は、通話機能の使用可能時間を長くすることができる。【選択図】　　　　図１
2004056553.tif 000002
【特許請求の範囲】
【請求項１】
バッテリと、
このバッテリの電力の残量を検出する検出部と、
通話機能を実行する通話機能部と、
通話機能以外の機能を実行する非通話機能部と、
前記検出手段が検出した値に基づいてバッテリの電力を、前記通話機能部および前記非通話機能部に選択的に供給する電源回路部と
を有する携帯通信端末であって、
前記電源回路部は、バッテリの残量が所定の値より少なくなると、前記通話機能部に優先的に電力を供給する
ことを特徴とする携帯通信端末。
【請求項２】
請求項１記載の携帯通信端末において、
前記所定の値を変更する変更部
をさらに備えたことを特徴とする携帯通信端末。
【発明の詳細な説明】
【０００１】
【発明の属する技術分野】
本発明は、通話機能を有する携帯通信端末に関する
【０００２】
【従来の技術】
近年、携帯電話機やＰＨＳ等の携帯通信端末は、本来の通話機能のみならず、データ通信機能が備えられ、ブラウザやメーラが搭載されてインターネットを介してホームページへのアクセスや、電子メールの送受信が可能とされ、インターネット接続サービスや、電子メールサービスが、手軽に享受できるようになってきている。また、最近では、携帯通信端末に電子カメラが搭載されるようにもなり、携帯通信端末の機能の拡張は、留まるところを知らない。
このような各種機能を搭載した携帯通信端末の構成の一例を、図４を参照して説明する。図４は、従来の携帯通信端末の機能ブロック図である。
【０００３】
携帯通信端末２１は、バッテリ２２、Ａ／Ｄ変換部２３、電源回路部２４、制御回路部２５、通信回路部２６、音声回路部２７、操作部２８および表示部２９とから構成される。このような携帯通信端末２１において、電源回路部２４は、バッテリ２２の電力をもとにＶＤＤを生成し、このＶＤＤを携帯通信端末２１の通話機能等の各種機能を実現する各構成要素に供給する。これにより、携帯通信端末２１は、各種機能の動作を実現することができる。
【０００４】
【発明が解決しようとする課題】
しかしながら、上述したような各種機能を搭載した携帯通信端末は、電力の供給系統が１つしかないため、バッテリの電力残量がわずかになってきた場合にもその主たる機能である通話機能以外の機能も動作してしまい、通話機能を使用できる時間が短くなってしまうという欠点があった。
そこで、本発明は、通話機能の使用可能時間を長くできる携帯通信端末を提供することを目的とする。
【０００５】
【課題を解決するための手段】
このような課題を解決するために本発明にかかる携帯通信端末は、バッテリと、このバッテリの電力の残量を検出する検出部と、通話機能を実行する通話機能部と、通話機能以外の機能を実行する非通話機能部と、検出手段が検出した値に基づいてバッテリの電力を、通話機能部および非通話機能部に選択的に供給する電源回路部とを有する携帯通信端末であって、電源回路部は、バッテリの残量が所定の値より少なくなると、通話機能部に優先的に電力を供給することを特徴とする。この携帯通信端末によれば、バッテリの残量が所定の値より少なくなると、通話機能部に優先的にバッテリの電力が供給される。なお、非通話機能部とは、例えばディスプレイ、電子カメラ、メーラ、ブラウザまたはＧＰＳなどの通話に関係しない機能を意味する。
【０００６】
上記携帯通信端末において、所定の値を変更する変更部をさらに備えるようにしてもよい。この携帯通信端末によれば、通話機能部に優先的にバッテリの電力が供給される期間を任意に変更することができる。
【０００７】
【発明の実施の形態】
［第１の実施の形態］
以下、図面を参照して本発明の第１の実施の形態について詳細に説明する。図１は、第１の実施の形態にかかる携帯電話機１の機能ブロック図である。
なお、本実施の形態において、携帯通信端末に携帯電話機を適用した例について説明するが、携帯通信端末としては、他にＰＨＳやＰＤＡなど、通信機能を有する携帯通信端末であれば適宜自由に変更することができる。
【０００８】
携帯電話機１は、携帯電話機１を構成する各構成要素に一定の電力を供給するバッテリ１１と、このバッテリ１１からの出力電圧をデジタル出力に変換するＡ／Ｄ変換部１２と、バッテリ１１の電力をもとに２種類の電圧ＶＤＤとＶＤＤ２を生成する電源回路部１３と、携帯電話機１全体の制御を行う制御回路部１４と、アンテナを介して外部との通信を制御する通信回路部１５と、マイクＭＩＣから入力された音声を制御回路部１４に送出し、制御回路部１４から送出されてくる音声をスピーカＳＰより出力する音声回路部１６と、利用者による操作入力を制御回路部１４に送出する操作部１７と、制御回路部１４からの各種データを表示する表示部１８とを少なくとも備える。なお、本実施の形態において、通話機能部は、通信回路部１５、音声回路部１６および操作部１７により構成される。また、非通話機能部は、表示部１８により構成される。
【０００９】
電源回路部１３は、プロセッサから構成され、Ａ／Ｄ変換部１２から出力されるバッテリ１１の出力レベルを常に監視することにより検出部としての機能を実現するとともに、携帯電話機１が正常に動作しうる最低の電圧レベルである正常動作可能最低値以上にあればＶＤＤを供給し、正常動作可能最低値よりも高く設定したバッテリ低下アラーム値以上であればさらにＶＤＤ２も供給することにより、電源回路部として機能を実現する。
【００１０】
次に、図１および図２を参照して、本実施の形態にかかる携帯電話機１の動作について説明する。図２は、バッテリ１１の電力残量の状態を示す図である。この図２に示すように、バッテリ１１において、携帯電話機１が正常に動作するのに十分な電力残量がある状態をＡ、携帯電話機１が正常に動作することは可能だが電力がわずかしか残っていない状態をＢ、携帯電話機１が動作しうる最低の電圧レベルである電力が残っていない状態をＣとする。
【００１１】
バッテリ１１の状態がＡの場合、Ａ／Ｄ変換部１２から出力されるデジタル出力値は、バッテリ低下アラーム値より大きい。このとき、電源回路部１３は、バッテリ１１の電力よりＶＤＤおよびＶＤＤ２を出力する。これにより、制御回路部１４は、通信回路部１５、音声回路部１６、操作部１７および表示部１８に電力が供給されていることを認識し、それぞれが動作可能であること把握する。
このような構成にすることにより、携帯電話機１は、バッテリ１１の状態がＡの場合、通話機能以外の機能も動作させることができる。
【００１２】
次に、バッテリ１１の状態がＣの場合、Ａ／Ｄ変換部１２から出力されるデジタル出力値は、正常動作可能最低値より小さい。このとき、電源回路部１３は、バッテリ１１の出力よりＶＤＤおよびＶＤＤ２を出力しない。これにより、制御回路部１４は、通信回路部１５、音声回路部１６、操作部１７および表示部１８に電力が供給されないので、携帯電話機１をシャットダウンする。
【００１３】
最後に、バッテリ１１の状態がＢの場合、Ａ／Ｄ変換部１２から出力されるデジタル出力値は、バッテリ低下アラーム値より小さく、かつ正常動作可能最低値より大きい。このとき、電源回路部１３は、バッテリ１１の出力よりＶＤＤのみを出力する。これにより、制御回路部１４は、通信回路部１５、音声回路部１６および操作部１７に電力が供給されていることを認識し、それぞれが動作可能であることを把握する。しかし、制御回路部１４は、表示部１８には電力が供給されていないので、表示部１８が動作不可能であることを把握し、表示部１８の動作を必要とする機能、つまり通話機能以外の機能を動作させない。
このように、バッテリ１１の電力残量が正常に動作することは可能であるが残りわずかな場合、携帯電話機の主な機能である通話機能のみが動作するようにし、バッテリ１１の電力消費量を少なくする。このような構成にすることにより、本実施の形態にかかる携帯電話機１は、バッテリ１１の電力がわずかに残っている場合の通話可能時間をより長くすることができる。
【００１４】
［第２の実施の形態］
次に、図面を参照して第２の実施の形態について説明する。図３は、第２の実施の形態にかかる携帯電話機１の機能ブロック図である。なお、第２の実施の形態にかかる携帯電話機１は、第１の実施の形態として示した携帯電話機１にアラーム値設定回路部１９を設けたものである。そこで、第２の実施の形態において第１の実施の形態と同等の構成要素には同じ名称および符号を付し、適宜説明を省略する。
【００１５】
変更部としての機能を実現するアラーム値設定回路部１９は、利用者の操作入力に基づいて、バッテリ低下アラーム値を任意の値に設定し、その設定値を電源回路部１３に出力する。なお、アラーム値設定回路部１９は、図示しないが、操作部１７と接続されており、操作部１７が検出した利用者の操作入力に基づいて、バッテリ低下アラーム値を任意の値に設定することができる。
電源回路部１３は、第１の実施の形態で示した機能に加えて、アラーム値設定回路部１９から出力される設定値をバッテリ低下アラーム値とする機能をさらに有する。
【００１６】
上述したような構成にすることにより、本実施の形態にかかる携帯電話機１は、利用者の操作入力に基づいてバッテリ低下アラーム値の設定を変えることができるので、図２で示した状態Ｂの範囲、つまり携帯電話機１が正常に動作することは可能だが電力がわずかしか残っていない状態の範囲を、任意の幅に変えることが可能となる。
携帯電話機１は、バッテリ１１の残量がバッテリ低下アラーム値より少なくなる、つまりバッテリ１１の残量が図２における状態Ｂの範囲に入ると、通話機能以外の機能を動作させないようにすることにより、バッテリ１１の電力消費量を少なくし、通話可能時間を長くする。状態Ｂの範囲は、バッテリ低下アラーム値と正常動作可能最低値とにより決定されるが、この正常動作可能最低値は、バッテリ１１の容量および携帯電話機１の消費電力量により一意に決定される。したがって、状態Ｂの範囲は、バッテリ低下アラーム値をどこに設定するかによって決定される。例えば、長時間の通話を行いたい、または充電を長期間行うことができないので節電したい等の場合、バッテリ低下アラーム値を高めのバッテリ電圧レベルに設定することにより、通話可能時間を任意に長くすることができる。このように、携帯電話機１は、バッテリ低下アラーム値の設定を変更することにより、通話可能時間を任意に変更することができる。
【００１７】
なお、第１および第２の実施の形態において、非通話機能部としては、表示部１８に限定されず、例えば電子カメラ、メーラ、ブラウザまたはＧＰＳ等の携帯電話機１に搭載することが可能で通話機能に関係しない機能を含めることができる。
【００１８】
【発明の効果】
以上説明したように本発明によれば、バッテリの残量が所定の値より少なくなると、通話機能に影響しない構成要素にバッテリの電力を供給しないので、通話機能の使用可能時間を長くできる。
また、本発明によれば、所定の値を変更することができるので、携帯通信端末の利用状況に応じて任意に長く設定することができる。
【図面の簡単な説明】
【図１】第１の実施の形態にかかる携帯通信端末の機能ブロック図である。
【図２】バッテリ１１の電力残量の状態を示す図である。
【図３】第２の実施の形態にかかる携帯通信端末の機能ブロック図である。
【図４】従来の携帯通信端末の機能ブロック図である。
【符号の説明】
１…携帯電話機、１１…バッテリ、１２…Ａ／Ｄ変換部、１３…電源回路部、１４…制御回路部、１５…通信回路部、１６…音声回路部、１７…操作部、１８…表示部、１９…アラーム値設定回路部、ＳＰ…スピーカ、ＭＩＣ…マイク。
【図１】
2004056553.tif 000003
【図２】
2004056553.tif 000004
【図３】
2004056553.tif 000005
【図４】
2004056553.tif 000006